(57)【要約】【課題】  バーコード等のコード情報を読み取って原稿の内容を自動的に送信するだけでなく、既存のファクシミリ機を有効に利用できるように構成されたファクシミリ機を提供する。【解決手段】  ファクシミリ回線２２と既存のファクシミリ機３０との間に介在して接続され、リーダ１４によって読み取ったコード情報Ｐｂから送信先番号を取得する情報取得手段１６と、情報取得手段１６によって取得した送信先番号にファクシミリ回線２２を介してダイヤルし原稿Ｐａの内容を送信するダイヤル送信手段１８と、既存のファクシミリ機３０が送信した信号をファクシミリ回線２２に伝達するとともにファクシミリ回線２２からの信号を既存のファクシミリ機３０に伝達する信号伝達手段２６と、ダイヤル送信手段１８による送信を行う第１モードと、信号伝達手段２６による信号伝達を行う第２モードとを切り換える切換手段２４とを備える。【選択図】        図１
2007251490.tif 000002
【特許請求の範囲】
【請求項１】
コード情報が記載された原稿を読み取るスキャナを備えたファクシミリ機であって、
ファクシミリ回線と既存のファクシミリ機との間に介在して接続され、
前記スキャナによって読み取ったコード情報から送信先番号を取得する情報取得手段と、
前記情報取得手段によって取得した送信先番号に前記ファクシミリ回線を介してダイヤルし、前記原稿の内容を送信するダイヤル送信手段と、
前記既存のファクシミリ機が送信した信号を前記ファクシミリ回線に伝達するとともに、前記ファクシミリ回線からの信号を前記既存のファクシミリ機に伝達する信号伝達手段と、
前記ダイヤル送信手段による送信を行う第１モードと、前記信号伝達手段による信号伝達を行う第２モードとを切り換える切換手段とを有するファクシミリ機。
【請求項２】
請求項１に記載したファクシミリ機であって、
切換手段は、送信ボタンが操作された場合に第１モードに切り換えてダイヤル送信手段による送信を行い、当該送信を終えると第２モードに切り換えて信号伝達手段による信号伝達を行うように構成されたファクシミリ機。
【請求項３】
請求項１または２に記載したファクシミリ機であって、
既存のファクシミリ機が送信した信号を検出する信号検出手段を有し、
切換手段は、信号検出手段が信号を検出してから当該信号を検出しなくなるまでの間は第２モードを維持し、ダイヤル送信手段による送信を行わないように制限する構成されたファクシミリ機。
【請求項４】
請求項１または２に記載したファクシミリ機であって、
既存のファクシミリ機が送信した信号を記憶する信号記憶手段を有し、
切換手段は、第１モードに切り換えているときには前記既存のファクシミリ機が送信した信号を前記信号記憶手段に記憶し、ダイヤル送信手段による送信を終えた後に第２モードに切り換えて前記信号記憶手段に記憶された信号をファクシミリ回線に伝達するように構成されたファクシミリ機。
【請求項５】
請求項１から４のいずれか一項に記載したファクシミリ機であって、
情報取得手段は、スキャナによって読み取ったコード情報に基づいて、送信先に関する情報および送信元に関する情報のうちで一方または双方を取得し、
ダイヤル送信手段は、前記情報取得手段によって取得した情報が受信側用紙における所定の位置に記載されるようにファクシミリ用の信号に変換し、原稿の内容とともに送信するように構成されたファクシミリ機。
【発明の詳細な説明】
【技術分野】
【０００１】
本発明は、原稿に記載（記録を含む。以下同様である。）されたコード情報を読み取るスキャナを備えたファクシミリ機に関する。
【背景技術】
【０００２】
従来では、バーコードからデータを読み取るリーダを備え、当該リーダによって送信原稿に記載されたデータを読み取って送信先のファクシミリ番号もしくは電話番号（以下では単に「送信先番号」と呼ぶ。）にダイヤルし、送信原稿の内容を自動的に送信するように構成されたファクシミリ機の一例が開示されている（例えば特許文献１を参照）。
【特許文献１】特開平５−３００３８７号公報
【発明の開示】
【発明が解決しようとする課題】
【０００３】
しかし、特許文献１のファクシミリ機を購入する者（もしくは購入しようとする者）の中には既存のファクシミリ機を所有している場合があり、ファクシミリ回線が一つしか無い場合には既存のファクシミリ機は有効に利用されないために無駄となる。
本発明はこのような点に鑑みてなしたものであり、バーコード等のようなコード情報を読み取って原稿の内容を自動的に送信するだけでなく、既存のファクシミリ機を有効に利用できるように構成されたファクシミリ機を提供することを目的とする。
【課題を解決するための手段】
【０００４】
（１）課題を解決するための手段（以下では単に「解決手段」と呼ぶ。）１は、コード情報が記載された原稿を読み取るスキャナを備えたファクシミリ機であって、ファクシミリ回線と既存のファクシミリ機との間に介在して接続され、前記スキャナによって読み取ったコード情報から送信先番号を取得する情報取得手段と、前記情報取得手段によって取得した送信先番号に前記ファクシミリ回線を介してダイヤルし、前記原稿の内容を送信するダイヤル送信手段と、前記既存のファクシミリ機が送信した信号を前記ファクシミリ回線に伝達するとともに、前記ファクシミリ回線からの信号を前記既存のファクシミリ機に伝達する信号伝達手段と、前記ダイヤル送信手段による送信を行う第１モードと、前記信号伝達手段による信号伝達を行う第２モードとを切り換える切換手段とを有することを要旨とする。なお、「既存のファクシミリ機」は一般的な機能を有するファクシミリ機である。
【０００５】
解決手段１によれば、ダイヤル送信手段がコード情報を読み取って送信先番号に原稿の内容を送信するとともに（第１モード）、当該ダイヤル送信手段による送信以外は切換手段が既存のファクシミリ機をファクシミリ回線に接続するように切り換え、信号伝達手段が既存のファクシミリ機の信号を伝達する（第２モード）。したがって、コード情報を読み取って送信先番号に原稿の内容を自動的に送信でき、モードの切り換えによって既存のファクシミリ機も有効に利用できる。
【０００６】
（２）解決手段２は、解決手段１に記載したファクシミリ機であって、切換手段は、送信ボタンが操作された場合に第１モードに切り換えてダイヤル送信手段による送信を行い、当該送信を終えると第２モードに切り換えて信号伝達手段による信号伝達を行うように構成されたことを要旨とする。
【０００７】
解決手段２によれば、送信ボタンが操作された場合にのみダイヤル送信手段による送信に切り換え（第１モード）、他は信号伝達手段による信号伝達に切り換える（第２モード）。したがって、本発明のファクシミリ機を利用する以外は既存のファクシミリ機を確実に利用できる。
【０００８】
（３）解決手段３は、解決手段１または２に記載したファクシミリ機であって、切換手段は、信号検出手段が信号を検出してから当該信号を検出しなくなるまでの間は第２モードを維持し、ダイヤル送信手段による送信を行わないように制限する構成されたことを要旨とする。
【０００９】
解決手段３によれば、既存のファクシミリ機による送信が行われているときに本発明のファクシミリ機を利用する場合には、切換手段によって第２モードに切り換えられているので、ダイヤル送信手段による送信を行わないように制限する。その後に既存のファクシミリ機による通信を終えると、切換手段が第１モードに切り換えるので、ダイヤル送信手段による送信を行う。したがって、既存のファクシミリ機による送信の阻害を最小限に抑え、かつ本発明のファクシミリ機による原稿の内容を確実に送信することができる。
【００１０】
（４）解決手段４は、解決手段１または２に記載したファクシミリ機であって、既存のファクシミリ機が送信した信号を記憶する信号記憶手段を有し、切換手段は、第１モードに切り換えているときには前記既存のファクシミリ機が送信した信号を前記信号記憶手段に記憶し、ダイヤル送信手段による送信を終えた後に第２モードに切り換えて前記信号記憶手段に記憶された信号をファクシミリ回線に伝達するように構成されたことを要旨とする。
【００１１】
解決手段４によれば、本発明のファクシミリ機による送信が行われているときに既存のファクシミリ機が利用される場合には、切換手段によって第１モードに切り換えられているので、既存のファクシミリ機から送信された信号等を一時的に信号記憶手段に記憶する。その後に本発明のファクシミリ機による送信を終えると、切換手段が第２モードに切り換えるので、信号記憶手段に記憶された信号を自動的にファクシミリ回線に伝達する。したがって、本発明のファクシミリ機による原稿の内容を送信しながらも、既存のファクシミリ機からの送信も確実に行うことができる。
【００１２】
（５）解決手段５は、解決手段１から４のいずれか一項に記載したファクシミリ機であって、情報取得手段は、スキャナによって読み取ったコード情報に基づいて、送信先に関する情報および送信元に関する情報のうちで一方または双方を取得し、ダイヤル送信手段は、前記情報取得手段によって取得した情報が受信側用紙における所定の位置に記載されるようにファクシミリ用の信号に変換し、原稿の内容とともに送信するように構成されたことを要旨とする。
【００１３】
解決手段５によれば、情報取得手段がコード情報から送信先に関する情報および送信元に関する情報のうちで一方または双方を取得するので、原稿には送信先に伝えたい内容だけを記載すればよい。したがって、送信先や送信元の会社名・部署名等について記載ミスを防止し、原稿の作成時間を短縮することが可能になる。
【発明の効果】
【００１４】
本発明によれば、コード情報を読み取って原稿の内容を自動的に送信するだけでなく、既存のファクシミリ機を有効に利用することができる。
【発明を実施するための最良の形態】
【００１５】
本発明を実施するための最良の形態について、図１〜図８を参照しながら説明する。図１には本発明の概要を模式的に表す。図２、図３には通信制御処理の手続き例をフローチャートで表す。図２と図３の間は結合子Ｊ２、Ｊ４でそれぞれ処理が継続する。図４、図７には、切換手段による切り換え例を図１に記載した要素の一部を用いて表す。図５には原稿の記載例を表し、図６、図７には送信時における原稿の内容を表す。
【００１６】
図１において、本発明のファクシミリ機１０は、ファクシミリ回線２２と既存のファクシミリ機３０との間に介在して接続される。このファクシミリ機１０は、送信ボタン１２、スキャナ１４、情報取得手段１６、ダイヤル送信手段１８、信号記憶手段２０、切換手段２４、信号伝達手段２６、信号検出手段２８などを有する。
【００１７】
操作者が操作する操作部材の一つとして送信ボタン１２を図示したが、他にはテンキー（電話番号入力用ボタン）や短縮ダイヤル等の登録用ボタンなどがある。スキャナ１４は「スキャナ」とも呼ばれ、原稿Ｐａの記載内容（すなわちコード情報Ｐｂや記載内容Ｐｃ等）を読み取る。本例のコード情報Ｐｂは、記録可能な情報量を多くするために二次元バーコードを適用している。このコード情報Ｐｂは、原稿Ｐａにおける任意の位置に記載できるが、一定の位置（例えば図５に表す原稿Ｐａの左上隅部）に記載されると抽出が容易になる。記載内容Ｐｃは通信文や絵図などが該当する。情報取得手段１６は、スキャナ１４によって読み取られたデータのうち、コード情報Ｐｂにかかるデータに基づいて種々の情報を取得する。取得する情報としては、例えば送信先番号、送信先や送信元の記載情報（すなわち会社名・部署名等）などが該当する。ダイヤル送信手段１８は、情報取得手段１６によって取得した送信先番号にファクシミリ回線２２を介してダイヤルし、スキャナ１４で読み取ったデータ（すなわち原稿Ｐａの記載内容の全部または一部）や必要なデータを送信する。
【００１８】
信号記憶手段２０はファクシミリ機１０に備えたメモリ内に設けられた記憶領域であって、既存のファクシミリ機３０が送信した信号を記憶する。信号伝達手段２６は、既存のファクシミリ機３０が送信した信号をファクシミリ回線２２に伝達するとともに、ファクシミリ回線２２からの信号を既存のファクシミリ機３０に伝達する機能を実現する。
【００１９】
ファクシミリ機１０で実行される通信制御処理の手続き例について、図２、図３に表したフローチャートを参照しながら説明する。この通信制御処理は、ファクシミリ機１０の電源が投入されてから遮断されるまでの間において繰り返し実行される。
【００２０】
図２において、まずファクシミリ回線２２と既存のファクシミリ機３０との間で信号伝達手段２６による信号伝達を行うため、図４（Ａ）に太い実線で表す接続形態のように切換手段２４を第２モードに切り換える〔ステップＳ１０〕。なお、この切り換えはモードの初期設定であるので、ファクシミリ機１０の電源投入時に実行すれば足りる。
【００２１】
次に送信ボタン１２が操作されたか否かを判別する〔ステップＳ１２〕。もし送信ボタン１２が操作されたときは（ＹＥＳ）、スキャナ１４が読み取った原稿Ｐａの記載内容にかかるデータをメモリに記憶し〔ステップＳ１６〕、記憶したデータの中からコード情報Ｐｂにかかるデータを抽出し、当該コード情報Ｐｂに基づいて情報取得手段１６が所定の情報を取得する〔ステップＳ１８〕。情報取得手段１６が取得する所定の情報としては、例えば送信先番号や、送信先や送信元に関する情報（すなわち会社名・部署名・役職名・担当者名等）などが該当する。
【００２２】
送信ボタン１２の操作に基づいて送信先番号宛に原稿Ｐａの内容を送信しなければならないが、切換手段２４は第２モードに切り換わっているのでファクシミリ回線２２と既存のファクシミリ機３０との間で通信が行われているか否かを判別する〔ステップＳ２０〕。もし信号検出手段２８が既存のファクシミリ機３０から出力された送信信号を検出したときは、ファクシミリ回線２２と既存のファクシミリ機３０との間で通信が行われていると判断して処理を待機する（ＹＥＳ）。
【００２３】
もし信号検出手段２８が既存のファクシミリ機３０からの送信信号を検出しないときは、ファクシミリ回線２２と既存のファクシミリ機３０との間で通信が行われていないと判断し（ステップＳ２０でＮＯ）、ファクシミリ機１０とファクシミリ回線２２との間で信号伝達を行うため、図４（Ｂ）に太い実線で表す接続形態のように切換手段２４を第１モードに切り換える〔ステップＳ２２〕。
【００２４】
第１モードに切り換えた後は、ステップＳ１８で取得した送信先番号にダイヤルするとともに〔ステップＳ２４〕、送信可能な否かを判別する〔ステップＳ２６〕。もし通信回線の故障や通話中などを要因として送信できないときは、当該要因が解消するまで待機する（ＮＯ）。ただし、一定時間（例えば５分間）を超えても要因が解消できない場合には、二点鎖線で示すように後述するステップＳ４０に移行するように制御してもよい。
【００２５】
もし送信可能なときは（ステップＳ２６でＹＥＳ）、ステップＳ１８で送信先や送信元に関する情報を取得した場合には当該情報を設定し〔ステップＳ２８〕、図３に移行して原稿の内容を送信する〔ステップＳ３０〕。ここで、ステップＳ２８の設定の有無に応じて、送信する原稿Ｐａの内容がどのように変わるかについて、図５に表した原稿Ｐａを例に説明する。もしステップＳ２８の設定を行わなければ、当該原稿Ｐａに記載された通りの内容をそのままステップＳ３０で送信する。一方、ステップＳ２８の設定を行う場合には、図６に表すようにコード情報Ｐｂに代えてヘッダーＰｄを記載して記載内容ＰｃとともにステップＳ３０で送信してもよく、図７に表すようにコード情報Ｐｂに加えてヘッダーＰｄを記載して記載内容ＰｃとともにステップＳ３０で送信してもよい。ヘッダーＰｄには、例えば日付情報Ｐｅ、送信先情報Ｐｆ、送信元情報Ｐｇなどが該当する。送信先情報Ｐｆや送信元情報Ｐｇは、例えば会社名・部署名・役職名・担当者名等が該当する。
【００２６】
もし上記ステップＳ３０で送信を開始してから終了するまでの間に（ステップＳ３６でＮＯ）、信号検出手段２８が既存のファクシミリ機３０からの送信信号（送信先番号等を含む）を検出した場合は（ステップＳ３２でＹＥＳ）、図８（Ａ）に太い実線で表す接続形態のように切換手段２４を切り換えたうえで、当該送信信号を信号記憶手段２０に記憶する〔ステップＳ３４〕。その後にファクシミリ機１０の送信を終えると（ステップＳ３６でＹＥＳ）、ステップＳ１０と同様に第２モードに切り換える。
【００２７】
そして、信号記憶手段２０に送信信号の記憶があるときは（ステップＳ４０でＹＥＳ）、図８（Ｂ）に太い実線で表す接続形態のように切換手段２４を切り換えたうえで、記憶された送信先番号にダイヤルして原稿の内容に関する送信信号を送信する〔ステップＳ４２〕。なお、記憶された送信信号を送信している間に、さらに既存のファクシミリ機３０からの送信信号を検出したときは切換手段２４中の二点鎖線で表す接続形態で既存のファクシミリ機３０から信号記憶手段２０に記憶すればよい。追加して記憶した送信信号は、現在送信中の送信信号を処理を終えた後に続けて送信する。ステップＳ３４の記憶およびステップＳ４２の送信を行うことによって、既存のファクシミリ機３０はファクシミリ機１０の使用状態にかかわらず送信を行うことができ、しかも原稿の内容を確実に送信先に伝達することができる。
【００２８】
上述した実施の形態によれば、以下に表す各効果を得ることができる。
（１）図３、図４に表した通信制御処理に従って、ダイヤル送信手段１８が原稿Ｐａに記載されたコード情報Ｐｂを読み取って送信先番号に原稿Ｐａの内容を送信するとともに（第１モード；図４（Ｂ）を参照）、当該ダイヤル送信手段１８による送信以外は切換手段２４が既存のファクシミリ機３０をファクシミリ回線２２に接続するように切り換え、信号伝達手段２６が既存のファクシミリ機３０の信号を伝達する構成とした（第２モード；図４（Ｂ）を参照）。したがって、コード情報Ｐｂを読み取って送信先番号に原稿Ｐａの内容を自動的に送信でき、モードの切り換えによって既存のファクシミリ機３０も有効に利用できる。
【００２９】
（２）送信ボタン１２が操作された場合にのみダイヤル送信手段１８による送信に切り換え（第１モード；図３のステップＳ１２〜図４のステップＳ３０を参照）、他は信号伝達手段２６による信号伝達に切り換える（第２モード；図３のステップＳ１０、図４のステップＳ３８を参照）。したがって、ファクシミリ機１０を利用する以外は既存のファクシミリ機３０を確実に、しかも優先的に利用することができる。
【００３０】
（３）既存のファクシミリ機３０による送信が行われているときにファクシミリ機１０を利用する場合には、ダイヤル送信手段１８による送信を行わないように制限した（図３のステップＳ２０を参照）。その後に既存のファクシミリ機３０による通信を終えると、ダイヤル送信手段１８による送信を行った（図３のステップＳ２４〜図４のステップＳ３０を参照）。したがって、既存のファクシミリ機３０による送信の阻害を最小限に抑え、かつファクシミリ機１０による原稿Ｐａの内容を確実に送信することができる。
【００３１】
（４）ファクシミリ機１０による送信が行われているときに既存のファクシミリ機３０が利用される場合には、既存のファクシミリ機３０から送信された信号等を一時的に信号記憶手段２０に記憶した（図４のステップＳ３２、Ｓ３４を参照）。その後にファクシミリ機１０による送信を終えると、信号記憶手段２０に記憶された信号を自動的にファクシミリ回線２２に伝達した（図４のステップＳ４０、Ｓ４２を参照）。したがって、ファクシミリ機１０による原稿Ｐａの内容を送信しながらも、既存のファクシミリ機３０からの送信も確実に行うことができる。
【００３２】
（５）情報取得手段１６がコード情報Ｐｂに基づいて送信先情報Ｐｆおよび送信元情報Ｐｇのうち一方または双方を取得し、ダイヤル送信手段１８が取得した情報を原稿Ｐａに設定するので（図３のステップＳ１６、Ｓ１８、Ｓ２８および図６、図７を参照）、本来の原稿Ｐａ（特に記載内容Ｐｃ）には送信先に伝えたい内容だけを記載すればよい。したがって、送信先や送信元の会社名・部署名等について記載ミスを防止し、原稿Ｐａの作成時間を短縮することが可能になる。
【００３３】
〔他の実施の形態〕
以上では本発明を実施するための最良の形態について説明したが、本発明は当該形態に何ら限定されるものではない。言い換えれば、本発明の要旨を逸脱しない範囲内において、種々なる形態で実施することができる。例えば、次に示す各形態を実現してもよい。
【００３４】
（１）上述した実施の形態では、原稿Ｐａに記載するコード情報Ｐｂとして二次元バーコードを適用した（図５を参照）。この形態に代えて（あるいは加えて）、一次元バーコードを適用してもよく、図９に示すように文字そのものをコード情報Ｐｂとして適用してもよい。一次元バーコードは数字しか記録できないので、情報取得手段１６は送信先番号を取得できるにとどまる。図９のコード情報Ｐｂには、送信先の会社名・部署名・担当者名を記載している。この場合、情報取得手段１６は文字認識機能を備え、かつ認識したデータ（本例では会社名・部署名・担当者名のいずれか）に対応する送信先番号を予めメモりに記憶させておく必要がある。したがって、原稿Ｐａには通常通りの記載をするだけで送信先番号を特定し、当該送信先番号にダイヤルして送信を行えるので、原稿Ｐａへの記載に対する負担が無い。
【００３５】
コード情報Ｐｂにかかる他の例としては、送信先番号や会社名・部署名・担当者名等に関連付けた固有の数字・英字・記号・符号等の記載や、原稿Ｐａの表面や内部に備えた磁性体（磁気による記録）、原稿Ｐａに設けた孔（紙テープ用の穿孔に類似させた記録）、原稿Ｐａの表面や内部に備えたＩＣチップ（ＩＣによる記録）などが該当する。いずれの記載方法であっても、コード情報Ｐｂから送信先番号や会社名・部署名・担当者名等を特定することによって、送信先に確実に送信することができる。
【００３６】
（２）上述した実施の形態では、切換手段２４は送信側を切り換えるように構成した（図４、図８を参照）。この形態に代えて（あるいは加えて）、受信側を切り換えるように切換手段２４を構成してもよい。例えば、ファクシミリ回線２２からの信号を信号記憶手段２０に記憶するように切り換えたり、信号記憶手段２０に記憶した信号を既存のファクシミリ機３０に伝達するように切り換える形態が該当する。この構成によれば、コード情報Ｐｂを含むような信号を受信したときにファクシミリ機１０で印刷したり、備え付けの表示装置（例えば液晶表示器）による表示ができ、しかも送信されてきた原稿に記載ミスがあった場合でも正確な送信元を特定することができる。
【００３７】
（３）上述した実施の形態では、コード情報Ｐｂに基づいて送信先や送信元の会社名・部署名等のような一定の項目をヘッダーＰｄとして原稿Ｐａ内に設定したうえで送信する構成とした（図６、図７を参照）。この形態に代えて（あるいは加えて）、ヘッダーＰｄとして原稿Ｐａ内に設定する項目を指定したり解除する項目編集手段を備える構成としてもよい。この項目編集手段は、送信ボタン１２と同様のボタンを操作したりメニューの選択を行ったときに実行され、会社名・部署名・役職名・担当者名等のような項目の中から設定すべき項目を選択して指定したり、選択した項目を設定する位置・文字サイズ・装飾等を指定したり、既に指定された項目を解除するなどを実現する。この構成によれば、送信先に対応した原稿ＰａのヘッダーＰｄを自動的に設定することが可能になる。ヘッダーに限らず、原稿Ｐａの下側に記載するフッターとして設定することも可能である。
【図面の簡単な説明】
【００３８】
【図１】本発明の概要を模式的に表す図である。
【図２】通信制御処理を表すフローチャートである。
【図３】図２に続く通信制御処理を表すフローチャートである。
【図４】切換手段による切り換え例を説明する図である。
【図５】原稿の記載例を説明する図である。
【図６】送信時における原稿の内容を説明する図である。
【図７】送信時における原稿の内容を説明する図である。
【図８】切換手段による切り換え例を説明する図である。
【図９】コード情報の一例を表す図である。
【符号の説明】
【００３９】
１０  ファクシミリ機
１２  送信ボタン
１４  スキャナ
１６  情報取得手段
１８  ダイヤル送信手段
２０  信号記憶手段
２２  ファクシミリ回線
２４  切換手段
２６  信号伝達手段
２８  信号検出手段
３０  既存のファクシミリ機
Ｐａ  原稿
Ｐｂ  コード情報
Ｐｃ  記載内容
Ｐｄ  ヘッダー
Ｐｅ  日付情報
Ｐｆ  送信先情報
Ｐｇ  送信元情報
【図１】
2007251490.tif 000003
【図２】
2007251490.tif 000004
【図３】
2007251490.tif 000005
【図４】
2007251490.tif 000006
【図５】
2007251490.tif 000007
【図６】
2007251490.tif 000008
【図７】
2007251490.tif 000009
【図８】
2007251490.tif 000010
【図９】
2007251490.tif 000011